(57)【要約】【課題】  洗濯によって縮まったカラーを伸ばし、新品状態に綺麗にプレスでき、またカラーの表側と裏側の、首回りの周長に差を生じさせることなく同じ寸法でカラーを伸張仕上げできるようにする。【解決手段】  カラー用アイロン台２とプレス鏝３とを備える。カラー１ａの長手方向の中央部に対応するカラー用アイロン台２の上面位置２ａを、正面から見て逆三角形状に凹ませ、この上面位置２ａに連なる、カラー１ａの長手方向の両端部に対応する左右位置２ｂを、水平面状に形成する。カラー用アイロン台２の上面を、プレス鏝３が押圧すると平面状に倒伏自在に形成する。カラー１ａをカラー用アイロン台２に載せるとき、カラー１ａの長手方向の中央部を支えるための受け板２３を備える。受け板２３を、上面位置２ａの上方に、左右位置２ｂと高さを同一にして配置させると共に、カラー１ａの押圧時は抜き取り自在に形成する。プレス鏝３の鏝面を平面状に形成する。【選択図】      図１
2005192584.tif 000002
【特許請求の範囲】
【請求項１】
シャツのカラーを拡げて載せるカラー用アイロン台と、このカラー用アイロン台の上面を押圧してカラーをプレス仕上げするプレス鏝とを備えて形成されているシャツ仕上げ機であって、カラーの長手方向の中央部に対応するカラー用アイロン台の上面位置が正面から見て逆三角形状に凹まれ、この上面位置に連なる、カラーの長手方向の両端部に対応する左右位置が水平面状に形成され、カラー用アイロン台の上面がプレス鏝で押圧されると平面状に倒伏自在に形成されると共に、カラーをカラー用アイロン台に載せるときカラーの長手方向の中央部を支えるための受け板を備え、この受け板が逆三角形状に凹まれた上面位置の上方に、カラーの両端部に対応する左右位置と高さを同一にして配置されると共に、カラーの押圧時は抜き取り自在に形成され、上記のプレス鏝の鏝面が平面状に形成されていることを特徴とするカラーの伸張機能付きシャツ仕上げ機。
【請求項２】
請求項１記載のカラーの伸張機能付きシャツ仕上げ機であって、カラーの長手方向の中央部に対応するカラー用アイロン台の上面位置が、この上面位置を形成する左右一対のプレートを枢着させる枢着軸の下に設けられたバネで支持され、倒伏姿勢のまま下降動作自在に形成されていることを特徴とするカラーの伸張機能付きシャツ仕上げ機。
【請求項３】
請求項１又は２記載のカラーの伸張機能付きシャツ仕上げ機であって、カラー用アイロン台の下方に、シャツのカフスをセットするための山形状のカフス用アイロン台が左右一対設けられ、このカフス用アイロン台の上面を押圧する鏝部が、カラー用アイロン台の下面に、上方に山形に凹まれて形成され、カラー用アイロン台がカフス用アイロン台を押圧自在に形成されていることを特徴とするカラーの伸張機能付きシャツ仕上げ機。
【発明の詳細な説明】
【技術分野】
【０００１】
本発明は、洗濯したワイシャツ等のシャツをプレス仕上げするためのシャツ仕上げ機に関し、更に詳しくは洗濯により縮まったカラーを綺麗に伸ばしてプレス仕上げできるよう形成したカラーの伸張機能付きシャツ仕上げ機に関するものである。
【背景技術】
【０００２】
従来この種の仕上げ機としては、例えばカラーを拡げて載せる下鏝の両側部に、カラーの両端を挟み付ける装置を設け、この装置を反対方向に移動させることにより、カラーを伸ばしてプレス仕上げするよう形成しているものがある（例えば特許文献１参照）。
また従来、本出願人の提案に係る特許文献２に記載の仕上げ機も知られている。この従来機は、カラーを拡げて載せるカラー用アイロン台と、このカラー用アイロン台の上面を押圧してカラーをプレス仕上げするプレス鏝とを備え、カラー用アイロン台の上面の曲率半径を、プレス鏝の鏝面の曲率半径より大きく選定し、カラー用アイロン台を、その中央位置から左右に分割して左右一対の分割体で形成し、この各分割体を、カラーのプレス時に上方外側に回動させてプレス鏝の鏝面に押し付けるための押圧機構を備えてなる。
【特許文献１】特開２００１−１９０９００号公報
【特許文献２】特開２００３−１６４６９８号公報
【発明の開示】
【発明が解決しようとする課題】
【０００３】
しかし特許文献１、同２に記載の従来機の場合は、カラーを拡げて載せる下鏝（カラー用アイロン台）が上方に凸湾曲状の山形に形成され、カラーをプレス仕上げするプレス鏝の鏝面が凹湾曲状に形成されていた。
従って従来機によると、カラーの表側と裏側とで、カラー丈に差を生じさせたから、従来機で仕上げたワイシャツを着用すると、台襟の部分やカラーの裏側に皺ができ易かった。また従来は、この皺がネクタイを通すとき支障になったり、皺の影響で首回りに不快感を与え、着心地を悪くさせる、という問題点があった。
【０００４】
本発明は、このような従来技術の問題点に鑑み、提案されたものである。
従って本発明の解決しようとする技術的課題は、洗濯によって縮まったカラーを伸ばし、新品状態に綺麗に仕上げることができ、またカラーの表側と裏側の、首回りの周長に差を生じさせることなく同じ寸法でカラーを伸張仕上げできるよう形成したカラーの伸張機能付きシャツ仕上げ機を提供することにある。
【課題を解決するための手段】
【０００５】
本発明は、上記の課題を解決するため、次のような技術的手段を採る。
即ち本発明は、図１等に示されるように、シャツ１のカラー１ａを拡げて載せるカラー用アイロン台２と、このカラー用アイロン台２の上面を押圧してカラー１ａをプレス仕上げするプレス鏝３とを備えて形成されているシャツ仕上げ機であって、カラー１ａの長手方向の中央部に対応するカラー用アイロン台２の上面位置２ａが正面から見て逆三角形状に凹まれ、この上面位置２ａに連なる、カラー１ａの長手方向の両端部に対応する左右位置２ｂが水平面状に形成され、カラー用アイロン台２の上面がプレス鏝３で押圧されると平面状に倒伏自在に形成されると共に、カラー１ａをカラー用アイロン台２に載せるときカラー１ａの長手方向の中央部を支えるための受け板２３を備え、この受け板２３が逆三角形状に凹まれた上面位置２ａの上方に、カラー１ａの両端部に対応する左右位置２ｂと高さを同一にして配置されると共に、カラー１ａの押圧時は抜き取り自在に形成され、上記のプレス鏝３の鏝面が平面状に形成されていることを特徴とする（請求項１）。
【０００６】
ここで、平面状に倒伏自在に形成され、とは、カラー用アイロン台２の上面がプレス鏝３の押圧力を受けると平面状に倒伏し、押圧力が除去されると復元する、ということを意味する。また受け板２３がカラー１ａの押圧時は抜き取り自在に形成され、とは、カラー１ａと一緒に受け板２３をプレスしない、ということを意味する。受け板２３の抜き取りのタイミングは、プレス鏝３がカラー１ａを押圧する直前、或いは直後であっても完全にプレス圧がカラー１ａに加わる前の段階に選定される。本発明は、カラー用アイロン台２が平面状に倒伏し、プレス鏝３の鏝面が平面状に形成されているため、カラー１ａは表側と裏側が同じ寸法状態にプレスされるものである。
【０００７】
請求項１記載の本発明は、図７等に示されるように、カラー１ａの長手方向の中央部に対応するカラー用アイロン台２の上面位置２ａが、この上面位置２ａを形成する左右一対のプレート５を枢着させる枢着軸６の下に設けられたバネ１７で支持され、倒伏姿勢のまま下降動作自在に形成されているのが好ましい（請求項２）。
【０００８】
なぜならこれによると、カラー用アイロン台２の上面を平面状に倒伏させ、カラー１ａをプレスした状態で、バネ１７の最大圧縮ストロークの間、更にカラー１ａをプレスして皺を伸ばすことができ、カラー１ａを一層綺麗に仕上げることができるからである。
【０００９】
また請求項１又は２記載の本発明の仕上げ機は、図２等に示されるように、カラー用アイロン台２の下方に、シャツ１のカフス１ｂをセットするための山形状のカフス用アイロン台２５が左右一対設けられ、このカフス用アイロン台２５の上面を押圧する鏝部２６が、カラー用アイロン台２の下面に、上方に山形に凹まれて形成され、カラー用アイロン台２がカフス用アイロン台２５を押圧自在に形成されているのが好ましい（請求項３）。
【００１０】
なぜならこれによると、シャツ１のカラー１ａだけではなく、カフス１ｂも同時に仕上げることができ、またカラー用アイロン台２とカフス用アイロン台２５が二段に積層されているため、装置の小型化、省スペース化を図ることができるからである。
【発明の効果】
【００１１】
本発明は、このようにプレス鏝の押圧動作でカラー用アイロン台が平面状に倒伏し、鏝面が平面状のプレス鏝でカラーを押圧するものである。従ってこれによれば、洗濯によって縮まったカラーを伸ばし、新品時の状態に綺麗に仕上げることができる。
また本発明の場合は、カラーの表側と裏側を同じ寸法で左右方向に伸ばしてプレス仕上げできる。従ってこれによると、首回りに不自然な皺ができることを防止でき、カラーの内側にネクタイを通し易くなり、着心地を良くできる。
【発明を実施するための最良の形態】
【００１２】
以下、本発明を実施するための最良の形態を説明する。
本発明のシャツ仕上げ機は、図１等に示されるように、シャツ１のカラー１ａを拡げて載せるカラー用アイロン台２と、このカラー用アイロン台２の上面を押圧してカラー１ａをプレス仕上げするプレス鏝３とを備えて形成されている。プレス鏝３の鏝面は、平面状に形成されている。またカラー１ａの長手方向の中央部に対応するカラー用アイロン台２の上面位置２ａは、正面から見て逆三角形状に凹まれている。そしてこの上面位置２ａに連なる、カラー１ａの長手方向の両端部に対応する左右位置２ｂは、水平面状に形成されている。なおカラー用アイロン台２の上面は、マット層２ｃ（図７等参照）を有し、更に布製カバー２ｄ（図１等参照）で覆われている。４は、布製カバー２ｄを下方に牽引して緊張させるためのコイルスプリングである。
【００１３】
また本発明の場合、カラー用アイロン台２の上面は、プレス鏝３で押圧されると平面状に倒伏自在に形成されている。図６〜図１１に示されるように、カラー用アイロン台２の上面位置２ａは、左右一対のプレート５が枢着軸６で回動自在に連結され、正面から見て逆三角形状に形成されている。また左右一対のプレート５の側端部は、カラー１ａの長手方向の両端部に対応する左右位置２ｂを形成する水平板７と、ジョイント軸８を介して枢着されている。９は、このジョイント軸８を支持する第１コイルバネである。この第１コイルバネ９は、ジョイント軸８のジョイントブロック８ａと、カラー用アイロン台２の前後方向に沿って横架された第１支持棒１０との間に、ジョイントブロック８ａに連結された傾斜状の第１金属棒１１に外装されて配置されている。この第１金属棒１１の下部は、第１支持棒１０に上下動自在に挿し通され、ナット１２で抜け止めされている。また水平板７の尾端は、第２コイルバネ１３で支持されている。この第２コイルバネ１３は、第１コイルバネ９の場合と同様に、起立状の第２金属棒１４に外装され、第２金属棒１４の下部は第２支持棒１５に上下動自在に挿し通され、ナット１２で抜け止めされている。なお第２金属棒１４の上端部は、横軸１６（図７、図８、図１０参照）を介して左右方向に傾倒自在に、水平板７に枢着されている。
【００１４】
またこの実施形態の本発明は、カラー１ａの長手方向の中央部に対応するカラー用アイロン台２の上面位置２ａが、この上面位置２ａを形成する左右一対のプレート５を枢着させる枢着軸６の下に設けられたバネ１７で支持され、倒伏姿勢のまま下降動作自在に形成されている。バネ１７は、この実施形態ではカラー用アイロン台２の前側と後側に、夫々左右一対設けられている。またこのバネ１７は、垂直状の第３金属棒１８（図７、図９参照）に外装されて枢着軸６の端部が連結された上側部材１９と、カラー用アイロン台２の前後の垂直壁２０に固定された突き出し片２１との間に配置され、第３金属棒１８の下部は突き出し片２１に上下動自在に挿し通され、ナット１２で抜け止めされている。なお図７等で示されるカラー用アイロン台２は、バネ１７等を説明する都合上、前面カバー２２（図２、図３参照）が取り外されている。
【００１５】
また本発明は、図１、図４に示されるように、カラー１ａをカラー用アイロン台２に載せるとき、カラー１ａの長手方向の中央部を支えるための受け板２３を備えて形成されている。この受け板２３は、カラー１ａを支えるとき、逆三角形状に凹まれた上面位置２ａの上方に、例えばロッドレスシリンダ２４によってカラー１ａの両端部に対応する左右位置２ｂと高さを同一にして配置され、且つカラー１ａの押圧時は抜き取り自在に形成されている。
【００１６】
２５（図２、図３等参照）は、シャツ１のカフス１ｂをセットするための山形状のカフス用アイロン台である。このカフス用アイロン台２５は、カラー用アイロン台２の下方に左右一対設けられている。また２６は、このカフス用アイロン台２５の上面を押圧する鏝部である。この鏝部２６は、カラー用アイロン台２の下面に、上方に山形に凹まれて形成されている。カラー用アイロン台２は、起立状に設けられたシリンダ装置２７（図４参照）のロッドの伸縮動作で支点２８を中心に上下回動自在に形成されている。図４において、２９はプレス鏝３用の動作シリンダである。プレス鏝３は、この動作シリンダ２９のロッドが延伸すると、リンク機構３０を介して枢着部３１を中心に上下方向に回動し、カラー用アイロン台２を押圧すると共に、このカラー用アイロン台２を介してその下側のカフス用アイロン台２５を押圧するよう形成されている。
【００１７】
次にこの実施形態に係る本発明の作用を説明する。
先ず作業者は、カフス用アイロン台２５にシャツ１のカフス１ｂをセットする。そしてスタートボタンを押すと、シリンダ装置２７のロッドが収縮する。これによりカラー用アイロン台２が下降回動し、カフス用アイロン台２５を鏝部２６が押圧する。また同時にロッドレスシリンダ２４が駆動して受け板２３が前進し、逆三角形状に凹まれた上面位置２ａの上方に、受け板２３が配置される。作業者は、この状態でシャツ１のカラー１ａをカラー用アイロン台２の上面に拡げてセットする。そしてスイッチを押すと、動作シリンダ２９のロッドが延伸し、プレス鏝３が枢着部３１を中心に下方に回動する。そして動作シリンダ２９のロッドの延伸状態をセンサ（図示せず）が検知すると、この信号を受けてロッドレスシリンダ２４が駆動し、受け板２３が後方にスライドして退避し、カラー用アイロン台２の上面位置２ａから抜き取られる。
【００１８】
而して本発明では、下方に回動したプレス鏝３が、カラー用アイロン台２の上面にセットされたカラー１ａを押圧すると、上面位置２ａのプレート５が枢着軸６を中心に下降回動して押し下げられ、カラー１ａの両端部に対応する左右位置２ｂの水平板７が外側方に僅かに移動しながら第１コイルバネ９、第２コイルバネ１３の弾発力に抗して徐々に押し下げられる。そしてプレート５及び水平板７は、ついには平面状に倒伏され、この倒伏状態のまま、更にプレス鏝３によってバネ１７の圧縮可能なストローク分だけ押し下げられる。またこの本発明では、プレス鏝３がカラー用アイロン台２を押圧すると、そのプレス圧がカフス用アイロン台２５にも加わる。従って鏝部２６がカフス１ｂを押圧し、カラー１ａと同時にカフス１ｂがプレス仕上げされる。
【００１９】
以上の処において、本発明は、カフス用アイロン台２５が省略されるのでも良い。またカフス用アイロン台２５を備えて形成される場合も、カラー用アイロン台２の下側には限られず、従来のこの種の仕上げ機の場合と同様、カラー用アイロン台２の両側に設けられるのでも良い。またカラー用アイロン台２は、板バネやダンパー等で倒伏自在に形成されているのでも良い。また受け板２３は、上例では、進退動作するよう形成されているが、本発明はその他例えば上面位置２ａに配置されるときは、後側から前側に回動して配置され、抜き取られるときは後方にスライド移動するよう形成されるのでも良い。
【図面の簡単な説明】
【００２０】
【図１】本発明の仕上げ機の好適な一実施形態を示す使用状態時の要部斜視図である。
【図２】同上仕上げ機の動作時の斜視図である。
【図３】同上仕上げ機の正面図である。
【図４】同上仕上げ機の右側面図である。
【図５】同上仕上げ機の平面図である。
【図６】カバーを取り外したカラー用アイロン台の要部平面図である。
【図７】前面カバーを取り外したカラー用アイロン台の要部正面図である。
【図８】前面カバーを取り外したカラー用アイロン台の倒伏時の要部正面図である。
【図９】カラー用アイロン台の前面カバーを取り外した状態の同上仕上げ機の要部斜視図である。
【図１０】カラー用アイロン台の要部斜視図である。
【図１１】カラー用アイロン台の要部斜視図である。
【符号の説明】
【００２１】
１      シャツ
１ａ    カラー
２      カラー用アイロン台
２ａ    上面位置
２ｂ    左右位置
３      プレス鏝
２３    受け板
【図１】
2005192584.tif 000003
【図２】
2005192584.tif 000004
【図３】
2005192584.tif 000005
【図４】
2005192584.tif 000006
【図５】
2005192584.tif 000007
【図６】
2005192584.tif 000008
【図７】
2005192584.tif 000009
【図８】
2005192584.tif 000010
【図９】
2005192584.tif 000011
【図１０】
2005192584.tif 000012
【図１１】
2005192584.tif 000013